(57)【要約】【課題】簡易な方法で、ネットワーク全体の構成情報を生成する生成装置を提供する。【解決手段】  ネットワーク構成情報の生成装置は、ネットワーク構成の部分的な情報である断片情報を入力する入力手段と、前記断片情報からネットワーク全体の構成を示す全体情報を生成する生成手段と、前記全体情報を出力する出力手段と、を備えており、前記生成手段は、前記断片情報から前記全体情報を生成する際に、前記断片情報から得られないネットワーク構成の部分である不明部分を判定し、前記判定した不明部分の構成を前記断片情報から推定する。【選択図】図１
2016005144.tif 000002
【特許請求の範囲】
【請求項１】
ネットワーク構成の部分的な情報である断片情報を入力する入力手段と、
前記断片情報からネットワーク全体の構成を示す全体情報を生成する生成手段と、
前記全体情報を出力する出力手段と、
を備えており、
前記生成手段は、前記断片情報から前記全体情報を生成する際に、前記断片情報から得られないネットワーク構成の部分である不明部分を判定し、前記判定した不明部分の構成を前記断片情報から推定することを特徴とする、ネットワーク構成情報の生成装置。
【請求項２】
前記生成手段は、前記全体情報に、前記推定した不明部分の構成を示す推定情報を含めることを特徴とする請求項１に記載の生成装置。
【請求項３】
前記出力手段は、前記推定情報に基づき前記推定した不明部分の構成の入力をユーザに促す表示を出力することを特徴とする請求項２に記載の生成装置。
【請求項４】
前記出力手段は、前記全体情報に基づきネットワークの構成図を表示し、前記推定情報に基づき前記ネットワーク構成図において前記推定した不明部分の構成を表示することを特徴とする請求項２又は３に記載の生成装置。
【請求項５】
前記断片情報から得られないネットワーク構成の部分は、パスと、当該パスを収容する局舎間の伝送路の対応関係を示す部分であることを特徴とする請求項１から４のいずれか１項に記載の生成装置。
【請求項６】
前記生成手段は、パスと局舎間の伝送路の対応関係が断片情報から得られない場合、当該パスが経由する局舎が最小となる様に、当該パスに対応する局舎間の伝送路を推定することを特徴とする請求項５に記載の生成装置。
【請求項７】
請求項１から６のいずれか１項に記載の生成装置としてコンピュータを機能させることを特徴とするプログラム。
【発明の詳細な説明】
【技術分野】
【０００１】
本開示は、断片的な情報からネットワーク全体の構成情報を生成する技術に関する。
【背景技術】
【０００２】
例えば、通信会社や企業内ネットワークの保守者が障害時の対応等を行うためには、ネットワーク全体の構成を示す構成情報が必要になる。ネットワークは、例えば、局舎、局舎に設置されている通信設備、局舎間の伝送路構成、局舎間のパス構成、パスへの回線の収容状況等、管理対象や、管理に責任のある部門毎に情報が管理されていることがある。つまり、ネットワーク全体の構成を管理するのではなく、部門や担当者毎に、その責任のあるレイヤでの構成が管理されていることがある。これら部門や担当者毎に管理される構成情報は、ネットワークの断片的な情報であり、これら断片的な構成情報から、ネットワーク全体の構成情報を生成することが求められる。なお、以下の説明において、ネットワークの一部分の構成を示す構成情報を断片情報と呼び、ネットワーク全体の構成を示す構成情報を全体情報と呼ぶものとする。
【０００３】
特許文献１は、書式を統一することで断片情報から全体情報を生成することを開示している。また、特許文献２は、測定用の信号を疎通させることで構成情報を生成することを開示している。
【先行技術文献】
【特許文献】
【０００４】
【特許文献１】特開平６−３４８７７９号公報
【特許文献２】特開２０１３−１１０５８７号公報
【発明の概要】
【発明が解決しようとする課題】
【０００５】
しかしながら、特許文献１に記載の方法は、各部門等における構成情報の管理方法に制約を設けるものであり非常に手間がかかる。また、特許文献２に記載の方法では、特定のレイヤにおける構成情報を取得することはできるが、ネットワーク全体の構成情報である全体情報を取得することはできない。
【０００６】
本発明は、簡易な方法で、ネットワーク全体の構成情報を生成する生成装置及びプログラムを提供するものである。
【課題を解決するための手段】
【０００７】
本発明の一側面によると、ネットワーク構成情報の生成装置は、ネットワーク構成の部分的な情報である断片情報を入力する入力手段と、前記断片情報からネットワーク全体の構成を示す全体情報を生成する生成手段と、前記全体情報を出力する出力手段と、を備えており、前記生成手段は、前記断片情報から前記全体情報を生成する際に、前記断片情報から得られないネットワーク構成の部分である不明部分を判定し、前記判定した不明部分の構成を前記断片情報から推定することを特徴とする。
【発明の効果】
【０００８】
簡易な方法で、ネットワーク全体の構成情報を生成することができる。
【図面の簡単な説明】
【０００９】
【図１】一実施形態による生成装置の構成図。
【図２】一実施形態による断片情報を示す図。
【図３】一実施形態による断片情報を示す図。
【図４】図２及び図３の断片情報から生成した全体情報に基づくネットワーク構成を示す図。
【図５】一実施形態による断片情報を示す図。
【図６】図５の断片情報から生成した全体情報に基づくネットワーク構成を示す図。
【発明を実施するための形態】
【００１０】
以下、本発明の例示的な実施形態について図面を参照して説明する。なお、以下の実施形態は本発明の範囲を実施形態の内容に限定するものではない。また、以下の各図においては、実施形態の説明に必要ではない構成要素については図から省略する。
【００１１】
図２及び図３は、それぞれ、ネットワークの断片情報を示している。図２（Ａ）に示す断片情報は、端末Ａと端末Ｂが接続していることを示しているが、その間の構成については不明である。また、図２（Ｂ）の断片情報は、スイッチ＃１、スイッチ＃２、ルータ＃１〜４の各装置の接続関係を示しているが、装置間がどの様に接続しているかについては不明である。なお、本例において、図２（Ｂ）のサブネットＡ及びサブネットＢは、サブネットアドレスで区別され、図２（Ａ）の端末Ａ及び端末Ｂは、そのアドレスから、それぞれ、サブネットＡ及びＢの端末であることが特定されるものとする。さらに、図３（Ａ）の断片情報は、局舎に設置されている装置がなんであるかのみを示しいている。さらに、図３（Ｂ）の断片情報は、局舎間が伝送路によりどの様に接続されているかを示している。なお、ネットワークにおいて、局舎間の伝送路は最上位の伝送路であり、装置間に設定されるパスは、伝送路に収容されることになる。
【００１２】
図４は、図２及び図３の各断片情報から本実施形態による生成装置が生成した全体情報に基づくネットワーク全体の接続構成を示している。なお、ネットワーク全体の接続構成を判定するに当たり、同一局舎内において２つの装置が接続しているとの情報が有る場合、これら２つの装置は、他の装置を間に介することなく直接接続しているとしている。例えば、図４において、スイッチ＃１とルータ＃１は直接接続していると決定している。
【００１３】
一方、異なる局舎に設置された２つの装置が接続しているとの情報がある場合、２つの装置は、局舎間を接続する伝送路の内、経由する局舎が最も少ない経路の伝送路に収容されているものと推定している。例えば、図４において、ルータ＃１とルータ＃３は、局舎＃１と局舎＃２とを接続する伝送路に収容されているものと推定している。しかしながら、同一局舎内の２つの装置間の接続とは異なり、局舎間の接続においては、障害時に同一装置間の総てのパスが断となることを避けるため、分散収容される場合があり、必ずしも最短経路となる伝送路に収容されない。例えば、ルータ＃１とルータ＃３は、中継局＃１、局舎＃２、局舎＃４、中継局＃２を経由する経路にて接続しているかもしれない。したがって、生成装置は、局舎間における２つの装置の接続に関して、その経路を示す情報が断片情報から得られない場合、収容先については不正確であることを表示する。図４において、点線部分が、正確ではない可能性の高い情報部分を示している。そして、本実施形態による生成装置は、推定した構成部分について、例えば、ユーザに入力を促す画面を表示する。これに応答して、ユーザに必要な情報を入力させることで、より正確な全体情報を生成でき、よって、ネットワーク全体のより正確な構成図を作成することができる。
【００１４】
図５は、モデル化した断片情報を示している。ネットワークの構成要素である、局舎や、各通信装置や、通信装置内のインタフェース等は、ノードとして表現できる。図５において、各四角形はノードを示している。また、図５において、ノード間の接続関係はノードを結ぶラインとして示されている。さらに、図５において、他のノードを含むノードは、ノードの収容関係を示している。例えば、図５（Ｆ）は、ノード＃４、＃５、＃６が、ノード＃１１に収容されていることを示している。例えば、ノード＃１１が局舎であると、ノード＃４、＃５、＃６は装置であり、ノード＃１１が装置であると、ノード＃４、＃５、＃６はインタフェースである。
【００１５】
図６は、図５の断片情報から生成した全体情報に基づくネットワーク構成図である。既に説明した様に、同一ノード内の２つのノードが接続しているのであれば、それらは他のノードを介することなく直接接続していると決定している。一方、異なるノード間に収容されている２つのノード間が接続している場合、生成装置は、これら２つのノードが最短経路で接続されていると推定して全体情報を生成すると共に、推定した接続構成部分を画面に表示し、さらに、ユーザに正確な情報の入力を促す。
【００１６】
図１は、本実施形態による生成装置の構成図である。入力部１１は、断片情報を受け取り、生成部１２は、断片情報に基づき全体情報を生成して出力部１３に出力する。なお、その際、生成部１２は、全体情報の内、断片情報から得られなかった構成部分に関する情報については、推定した情報であることを示すフラグを追加する。出力部１３は、全体情報に基づきネットワーク構成図を画面に表示する。その際、推定した情報については、確定した情報とは区別して表示することができる。また、出力部１３は、推定した情報については、ユーザに入力を促す画面を表示する。
【００１７】
なお、本発明による生成装置１は、コンピュータを上記生成装置１として動作させるプログラムにより実現することができる。これらコンピュータプログラムは、コンピュータが読み取り可能な記憶媒体に記憶されて、又は、ネットワーク経由で配布が可能なものである。
【図１】
2016005144.tif 000003
【図２】
2016005144.tif 000004
【図３】
2016005144.tif 000005
【図４】
2016005144.tif 000006
【図５】
2016005144.tif 000007
【図６】
2016005144.tif 000008